(57)【要約】【課題】気象観測機能を備える無線装置の小型化を実現する無線装置および無線システムを提供する。【解決手段】無線装置は、所定基地局との通信用の通信電波と雨量測定用のレーダ電波とを発射する共用アンテナと、共用アンテナから発射されたレーダ電波を受信すると、その受信したレーダ電波の強度に基づいて雨量を求めるＩＤＵと、ＩＤＵが雨量を求めると、その雨量を、特定装置宛てに通信電波により送信するＯＤＵと、を含む。【選択図】図２
2012117843.tif 000002
【特許請求の範囲】
【請求項１】
所定基地局を介して特定装置と通信を行う無線装置であって、
前記所定基地局との通信用の特定電波と雨量測定用の所定電波とを発射する共用アンテナと、
前記共用アンテナから発射された所定電波を受信すると、該所定電波の強度に基づいて雨量を求める演算手段と、
前記演算手段が前記雨量を求めると、該雨量を前記特定装置宛てに前記特定電波により送信する送信手段と、を含む無線装置。
【請求項２】
請求項１に記載の無線装置において、
風速を検出する風検出手段をさらに含み、
前記送信手段は、前記風検出手段が前記風速を検出すると、該風速を前記特定装置宛てに前記特定電波により送信する、無線装置。
【請求項３】
請求項１または２に記載の無線装置において、
日照時間を計測する計測手段をさらに含み、
前記送信手段は、前記計測手段が前記日照時間を計測すると、該日照時間を前記特定装置宛てに前記特定電波により送信する、無線装置。
【請求項４】
請求項１から３のいずれか１項に記載の無線装置において、
雨量を測定する雨量計をさらに含み、
前記送信手段は、前記雨量計が前記雨量を測定すると、該雨量を前記特定装置宛てに前記特定電波により送信する、無線装置。
【請求項５】
所定基地局と、前記所定基地局を介して特定装置と通信を行う無線装置と、を有する無線システムであって、
前記無線装置は、
前記所定基地局との通信用の特定電波と雨量測定用の所定電波とを発射する共用アンテナと、
前記共用アンテナから発射された所定電波を受信すると、該所定電波の強度に基づいて雨量を求める演算手段と、
前記演算手段が前記雨量を求めると、該雨量を前記特定装置宛てに前記特定電波により送信する送信手段と、を含み、
前記特定装置は、前記送信手段から前記所定基地局を介して前記雨量を受信する、無線システム。
【請求項６】
請求項５に記載の無線システムにおいて、
前記無線装置は、風速を検出する風検出手段をさらに含み、
前記送信手段は、前記風検出手段が前記風速を検出すると、該風速を前記特定装置宛てに前記特定電波により送信する、無線システム。
【請求項７】
請求項５または６に記載の無線システムにおいて、
前記無線装置は、日照時間を計測する計測手段をさらに含み、
前記送信手段は、前記計測手段が前記日照時間を計測すると、該日照時間を前記特定装置宛てに前記特定電波により送信する、無線システム。
【請求項８】
請求項５から７のいずれか１項に記載の無線システムにおいて、
前記無線装置は、雨量を測定する雨量計をさらに含み、
前記送信手段は、前記雨量計が前記雨量を測定すると、該雨量を前記特定装置宛てに前記特定電波により送信する、無線システム。
【発明の詳細な説明】
【技術分野】
【０００１】
本発明は、無線装置および無線システムに関し、気象観測機能を有する無線装置および無線システムに関する。
【背景技術】
【０００２】
携帯電話システムでは、数多くの基地局のそれぞれに無線装置が用いられている。無線装置は、基地局間の通信を無線により行う。一般に、無線装置の設置間隔は、数百ｍ（メートル）から数十ｋｍ（キロメートル）の範囲内である。
【０００３】
無線装置は、無線信号の変調または復調を行うＩＤＵ（In Door Unit）と、アンテナを用いて無線信号の送信または受信を行うＯＤＵ（Out Door Unit）と、で構成される。ＯＤＵは、無線信号を受信するために屋外の見通しの良い場所に設置されることが多い。
【０００４】
屋外に所定の間隔で設置される他の装置として、特許文献１には、雨量を測定する雨量測定装置が記載されている。特許文献１に記載の雨量測定装置は、電波を送信する送信機と、送信機により送信された電波を受信する受信機と、受信機により受信された電波の減衰量を用いて、雨量を算出する降雨算出手段と、を備えている。なお、送信機および受信機には、それぞれ、電波を送信および受信するためのアンテナが設けられている。
【先行技術文献】
【特許文献】
【０００５】
【特許文献１】特開２００４−９３２９１号公報
【発明の概要】
【発明が解決しようとする課題】
【０００６】
無線装置は、基地局間の通信を行いつつ、特許文献１に記載の雨量測定装置にて行われる雨量の測定を行うことも可能である。しかしながら、無線装置で雨量の測定を行うためには、無線装置には、通信用のアンテナとは別に雨量測定用のアンテナが必要となる。
【０００７】
このため、雨量の測定などを行う気象観測機能を有する無線装置では、無線装置の規模が大きくなってしまうという問題があった。
【０００８】
本発明の目的は、気象観測機能を有する無線装置を小型化することが可能な無線装置および無線システムを提供することにある。
【課題を解決するための手段】
【０００９】
本発明の無線装置は、所定基地局を介して特定装置と通信を行う無線装置であって、前記所定基地局との通信用の特定電波と雨量測定用の所定電波とを発射する共用アンテナと、前記共用アンテナから発射された所定電波を受信すると、該所定電波の強度に基づいて雨量を求める演算手段と、前記処理手段が前記雨量を求めると、該雨量を前記特定装置宛てに前記特定電波により送信する送信手段と、を含む。
【００１０】
本発明の無線システムは、所定基地局と、前記所定基地局を介して特定装置と通信を行う無線装置と、を有する無線システムであって、前記無線装置は、前記所定基地局との通信用の特定電波と雨量測定用の所定電波とを発射する共用アンテナと、前記共用アンテナから発射された所定電波を受信すると、該所定電波の強度に基づいて雨量を求める演算手段と、前記演算手段が前記雨量を求めると、該雨量を前記特定装置宛てに前記特定電波により送信する送信手段と、を含み、前記特定装置は、前記送信手段から前記所定基地局を介して前記雨量を受信する。
【発明の効果】
【００１１】
本発明によれば、気象観測機能を有する無線装置を小型化することが可能になる。
【図面の簡単な説明】
【００１２】
【図１】本実施形態における無線システムを示すブロック図である。
【図２】無線装置２００の構成例を示すブロック図である。
【図３】ＯＤＵ２２０の外観を例示する図である。
【図４】携帯電話システムの無線中継システムを示す図である。
【図５】気象レーダを説明するための図である。
【発明を実施するための形態】
【００１３】
以下、本発明の実施形態について図面を参照して説明する。
【００１４】
図１は、本実施形態における無線システムの一例を示す図である。
【００１５】
無線システム１００は、所定の間隔で設置された基地局１０１〜１０３を有する。基地局１０１〜１０３のそれぞれは、一般的に所定基地局または特定基地局と呼ぶことができる。
【００１６】
基地局１０１〜１０３のそれぞれには、互いに対向する共用アンテナ２０１が設置されている。基地局１０１〜１０３のそれぞれは、無線装置２００を備える。
【００１７】
無線装置２００は、共用アンテナ２０１を用いて基地局と通信を行う。また、無線装置２００は、雨量を測定する気象観測機能を有する。
【００１８】
無線装置２００は、周辺の雨量を測定するために、共用アンテナ２０１から、雨量測定用のレーダ電波を発射する。レーダ電波は、一般的に所定電波と呼ぶことができる。レーダ電波の波長としては、一般的に、３ｃｍ（センチメートル）〜１０ｃｍの範囲の波長が用いられる。
【００１９】
共用アンテナ２０１からレーダ電波が、降水粒子へ発射されると、レーダ電波が降水粒子によりレイリー散乱を起こして、レーダ電波の一部が、共用アンテナ２０１方向へ反射する。無線装置２００は、レーダ電波が降水粒子により反射された反射波を、共用アンテナ２０１にて受信すると、その反射波の強度に基づいて、降水（雨）の有無または降水の強さを推定する。なお、降水の強さは、単位時間あたりの雨量である。
【００２０】
また、無線装置２００は、基地局と通信を行うために、通信信号を示す通信用の通信電波を発射する。通信信号は、例えば、携帯端末から送信された音声や画像を示す信号である。通信電波は、一般的に特定電波と呼ぶことができる。
【００２１】
図１では、例えば、基地局１０１の備える無線装置２００が、通信電波を基地局１０２へ出射すると、基地局１０２が備える無線装置２００は、基地局１０１から通信電波を受信し、基地局１０１と異なる基地局１０３へ通信電波を出射して、通信電波を中継する。このため、無線装置２００は、無線中継システムとも称される。
【００２２】
通信電波としては、レーダ電波と同じ周波数帯域内の電波が用いられる。このため、無線装置２００は、共用アンテナ２０１から、通信用の通信電波を発射しつつ、雨量測定用のレーダ電波を発射することが可能となる。
【００２３】
また、無線装置２００は、レーダ電波を用いて雨量を推定すると、その推定した雨量を示す雨量情報を、不図示のデータ処理センタ宛てに通信電波により送信する。データ処理センタは、雨量情報などの気象データを集計する集計装置を備える。集計装置は、例えば、基地局１０１〜１０３のそれぞれから雨量情報を受信すると、雨量情報を用いて、日本各地の降雨の予測を行う。
【００２４】
図２は、無線装置２００の構成例を示す図である。
【００２５】
無線装置２００は、基地局を介して集計装置と通信を行う。無線装置２００としては、例えば、ＰＡＳＯＬＩＮＫが用いられる。無線装置２００は、共用アンテナ２０１と、屋内に設置されるＩＤＵ２１０と、屋外に設置されるＯＤＵ２２０と、を備える。図２に示した無線装置２００は、無線基地局１０２に用いられる無線装置とする。
【００２６】
共用アンテナ２０１は、雨量測定用のレーダ電波と通信用の通信電波とを発射する。本実施形態では、共用アンテナ２０１は、雨量測定用のレーダ電波と、レーダ電波と同じ周波数帯域内の通信電波と、を発射する。
【００２７】
ＩＤＵ２１０は、一般的に演算手段と呼ぶことができる。
【００２８】
ＩＤＵ２１０は、共用アンテナ２０１から発射されたレーダ電波の反射波を受信すると、その受信された反射波の強度に基づいて雨量を求める。
【００２９】
例えば、ＩＤＵ２１０には、反射波の強度と単位時間あたりの雨量との関係を表す演算式が予め記憶されており、共用アンテナ２０１にて反射波が受信され、その反射波がＯＤＵ２２０を介してＩＤＵ２１０に供給され、ＩＤＵ２１０が、その反射波を受け付けると、ＩＤＵ２１０は、その反射波の強度との関係で表される雨量を、演算式を用いて求める。または、ＩＤＵ２１０には、反射波の強度ごとに反射波の強度と単位時間あたりの雨量とが互いに対応付けられた対応表が予め記憶されており、ＩＤＵ２１０が、ＯＤＵ２２０から反射波を受け付けると、その反射波の強度に対応付けられた雨量を、対応表を用いて求めてもよい。ＩＤＵ２１０は、雨量を求めると、その雨量を示す雨量情報を、ＯＤＵ２２０に出力する。
【００３０】
本実施形態では、ＩＤＵ２１０は、変調処理および復調処理を行う変復調装置により実現される。ＩＤＵ２１０は、通信信号に施す変復調処理と同じ処理を、レーダ電波を発射するためのレーダ信号にも施す。
【００３１】
また、ＩＤＵ２１０は、有線２０２を介して、基地局１０２内の別のＩＤＵと接続される。ＩＤＵ２１０は、共用アンテナ２０１から受信された通信信号を、別のＩＤＵに供給し、別のＩＤＵは、通信信号を受け付けると、その通信信号を、接続先のＯＤＵに供給する。接続先のＯＤＵは、通信信号を受け付けると、共用アンテナ２０１と別の方向に向いている共用アンテナから通信電波を基地局１０１へ発射して、通信信号を中継する。
【００３２】
ＯＤＵ２２０は、一般的に送信手段と呼ぶことができる。
【００３３】
ＯＤＵ２２０は、ＩＤＵ２１０が雨量を求めると、その雨量を示す雨量情報を集計装置宛てに通信電波により、基地局１０３へ送信する。
【００３４】
本実施形態では、ＯＤＵ２２０は、電波を送信および受信する送受信装置により実現される。ＯＤＵ２２０は、共用アンテナ２０１を搭載し、その共用アンテナ２０１から数百ｍ〜数ｋｍ先の無線装置へ電波を出射する。ＯＤＵ２２０は、電波を送信または受信するために屋外の見通しの良い場所に設置されることが多い。
【００３５】
ＯＤＵ２２０は、ＡＮＴインターフェース（Antenna Interface）２２１と、ＴＸフィルタ（ＢＰＦ：Band Pass Filter）２２２ａと、ＲＸフィルタ(ＢＰＦ)２２２ｂと、ＡＭＰ（増幅器）２２３と、ＲＦサーキット（Radio Frequency Circuit）２２４と、ＩＤＵインターフェース（Interface）２２５と、気象測器インターフェース（Interface）２２６と、ＤＣ−ＤＣコンバータ（Converter）２２７と、を備える。なお、ＩＤＵ２１０は、通信信号に施す変復調処理と同じ処理をレーダ信号にも施すので、ＯＤＵ２２０内部には、レーダ信号の送受信のために新たな構成を設ける必要はない。
【００３６】
共用アンテナ２０１にて電波が受信される状況では、ＡＮＴインターフェース２２１は、共用アンテナ２０１から供給される電波を、電気信号（以下「受信信号」と称する。）に変換する。ＡＮＴインターフェース２２１は、変換後の受信信号を、ＲＸフィルタ２２２ｂに供給する。
【００３７】
ＲＸフィルタ２２２ｂは、受信信号を受け付けると、受信信号に含まれる不要な周波数成分を減衰し、減衰後の受信信号を、ＡＭＰ２２３に供給する。
【００３８】
ＡＭＰ２２３は、ＲＸフィルタ２２２ｂから受信信号を受け付けると、受信信号を増幅する。ＡＭＰ２２３は、増幅後の受信信号を、ＲＦサーキット２２４に供給する。ＲＦサーキット２２４は、ＡＭＰ２２３から受信信号を受け付けると、その受信信号を、ＩＤＵインターフェース２２５に供給する。
【００３９】
ＩＤＵインターフェース２２５は、ＲＦサーキット２２４から受信信号を受け付けると、受信信号が通信信号である場合には、その受信信号を通信信号として、通信信号線を介してＩＤＵ２１０に供給し、受信信号が反射波の測定信号である場合には、その受信信号を測定信号として、観測信号線を介してＩＤＵ２１０に供給する。
【００４０】
ＩＤＵ２１０は、観測信号線から測定信号を受け付けると、測定信号の強度に基づいて雨量を求める。例えば、ＩＤＵ２１０には、測定信号の強度ごとに測定信号の強度と単位時間あたりの雨量とが互いに対応付けられた対応表が予め記憶されており、ＩＤＵ２１０が、測定信号を受け付けると、その測定信号の強度に対応付けられた雨量を、対応表を用いて求める。ＩＤＵ２１０は、その求めた雨量を示す雨量情報と集計装置の宛先とを示す通信信号を生成し、その通信信号に所定の変調処理を施し、変調処理後の通信信号を、ＩＤＵインターフェース２２５に供給する。
【００４１】
また、共用アンテナ２０１から通信電波が発射される状況では、ＩＤＵ２１０は、通信信号に所定の変調処理を施し、変調処理後の通信信号を、通信信号線を介してＩＤＵインターフェース２２５に供給する。
【００４２】
ＩＤＵインターフェース２２５は、通信信号線から通信信号を受け付けると、その通信信号を、ＲＦサーキット２２４に供給する。ＲＦサーキット２２４は、ＩＤＵインターフェース２２５から通信信号を受け付けると、その通信信号をＡＭＰ２２３に供給する。
【００４３】
ＡＭＰ２２３は、ＲＦサーキット２２４から通信信号を受け付けると、その通信信号を増幅する。ＡＭＰ２２３は、増幅後の通信信号を、ＴＸフィルタ２２２ａに供給する。
【００４４】
ＴＸフィルタ２２２ａは、ＡＭＰ２２３から通信信号を受け付けると、通信信号に含まれる不要な周波数成分を減衰し、減衰後の通信信号を、ＡＮＴインターフェース２２１を介して共用アンテナ２０１に供給する。そして、通信信号が共用アンテナ２０１から通信電波として発射される。
【００４５】
さらに、共用アンテナ２０１からレーダ電波が発射される状況では、ＩＤＵ２１０は、レーダ信号に対し通信信号と同じ所定の変調処理を施し、変調処理後のレーダ信号を、ＩＤＵインターフェース２２５に供給する。
【００４６】
ＩＤＵインターフェース２２５は、ＩＤＵ２１０からレーダ信号を受け付けると、そのレーダ信号を、ＲＦサーキット２２４に供給する。ＲＦサーキット２２４は、ＩＤＵインターフェース２２５からレーダ信号を受け付けると、そのレーダ信号をＡＭＰ２２３に供給する。
【００４７】
ＡＭＰ２２３は、ＲＦサーキット２２４からレーダ信号を受け付けると、レーダ信号を増幅する。ＡＭＰ２２３は、増幅後のレーダ信号を、ＴＸフィルタ２２２ａに供給する。
【００４８】
ＴＸフィルタ２２２ａは、ＡＭＰ２２３からレーダ信号を受け付けると、レーダ信号に含まれる不要な周波数成分を減衰し、減衰後のレーダ信号を、ＡＮＴインターフェース２２１を介して共用アンテナ２０１に供給する。そして、レーダ信号が共用アンテナ２０１からレーダ電波として発射される。
【００４９】
また、気象測器インターフェース２２６は、ＯＤＵ２２０の外側に設けられた気象測器から測定データを受け付けると、その測定データを、ＩＤＵインターフェース２２５に供給する。ＩＤＵインターフェース２２５は、気象測器インターフェース２２６から測定データを受け付けると、その測定データを、観測信号線を介してＩＤＵ２１０に供給する。
【００５０】
また、ＤＣ−ＤＣコンバータ２２７は、ＩＤＵ２１０から電源供給線を介して供給される電源電圧を、ＯＤＵ２２０内で使用される電源電圧に変換する。
【００５１】
図３は、ＯＤＵ２２０の外部構成を例示する図である。
【００５２】
図３では、ＯＤＵ２２０は、風向風速計２３１と、日射日照計２３２と、雨量計２３３と、を備える。なお、気象観測のうちの気温観測は地上１．５ｍで行う必要があるが、全てのＯＤＵ２２０を地上１．５ｍに設置することは困難である。このため、本実施形態では、気温以外の雨量（降水量）と風と日照時間との３つの気象観測が行われる。
【００５３】
ＯＤＵ２２０の１面は、共用アンテナ２０１もしくは、共用アンテナ２０１に接続されるカプラ（Coupler）やハイブリッド（Hybrid）などと接合される。よって、風向風速計２３１は、共用アンテナ２０１などが接合される面と反対の面に接合される。ＯＤＵ２２０の上面には、日射日照計２３２と雨量計２３３とが設けられる。また、風向風速計２３１と日射日照計２３２と雨量計２３３とは、ＯＤＵ２２０内部の気象測器インターフェース２２６と接続される。
【００５４】
風向風速計２３１は、一般的に風検出手段と呼ぶことができる。
【００５５】
風向風速計２３１は、風速を検出する気象測器である。
【００５６】
本実施形態では、風向風速計２３１は、ＯＤＵ２２０の周辺の風速と風向とを検出する。風向風速計２３１は、風速と風向とを検出すると、風速と風向とを示す風情報を、測定データとして、気象測器インターフェース２２６に供給する。
【００５７】
気象測器インターフェース２２６は、風向風速計２３１から測定データを受け付けると、その測定データを、ＩＤＵインターフェース２２５に供給する。ＩＤＵインターフェース２２５は、測定データを受け付けると、観測信号線を介して測定データを、ＩＤＵ２１０に供給する。ＩＤＵ２１０は、測定データと集計装置の宛先とを示す通信信号に所定の変調処理を施し、その通信信号を、ＯＤＵ２２０に供給する。
【００５８】
よって、ＯＤＵ２２０は、風向風速計２３１が風速を検出すると、風速を示す風情報を集計装置宛てに通信電波により送信する。
【００５９】
日射日照計２３２は、一般的に計測手段と呼ぶことができる。
【００６０】
日射日照計２３２は、日照時間を計測する気象測器である。日射日照計２３２は、ＯＤＵ２２０の周辺の日照時間を計測すると、日照時間を示す時間情報を、測定データとして、気象測器インターフェース２２６に供給する。なお、日射日照計２３２は、例えば、熱電堆により日射量を検出してもよい。
【００６１】
気象測器インターフェース２２６は、日射日照計２３２から測定データを受け付けると、その測定データを、ＩＤＵインターフェース２２５に供給する。ＩＤＵインターフェース２２５は、測定データを受け付けると、観測信号線を介して測定データを、ＩＤＵ２１０に供給する。ＩＤＵ２１０は、測定データと集計装置の宛先とを示す通信信号に所定の変調処理を施し、その通信信号を、ＯＤＵ２２０に供給する。
【００６２】
よって、ＯＤＵ２２０は、日射日照計２３２が日照時間を測定すると、その日照時間を示す時間情報を集計装置宛てに通信電波により送信する。
【００６３】
雨量計２４３は、ＯＤＵ２２０の周辺の雨量を測定する気象測器である。雨量計２４３は、雨量を測定すると、その雨量を示す降水情報を、測定データとして気象測器インターフェース２２６に供給する。
【００６４】
気象測器インターフェース２２６は、雨量計２４３から、測定データを受け付けると、その測定データを、ＩＤＵインターフェース２２５に供給する。ＩＤＵインターフェース２２５は、測定データを受け付けると、観測信号線を介して測定データをＩＤＵ２１０に供給する。ＩＤＵ２１０は、測定データと集計装置の宛先とを示す通信信号に所定の変調処理を施し、その通信信号を、ＯＤＵ２２０に供給する。
【００６５】
よって、ＯＤＵ２２０は、雨量計２４３が雨量を測定すると、その雨量を示す降水情報を集計装置宛てに通信電波により送信する。
【００６６】
このため、本実施形態における無線装置２００は、基地局間の通信を行いつつ、気象観測を行うことが可能となる。また、気象観測機能を有する無線装置２００は、携帯電話システムの無線中継システムとして用いられることが好ましい。
【００６７】
図４は、携帯電話システムを構成する基地局内の無線中継システムを例示する図である。
【００６８】
携帯電話システムでは、数百ｍ〜数十ｋｍの間隔で一対向のアンテナが設置される。使用周波数は６ＧＨｚ（ギガヘルツ）〜３８ＧＨｚであり、波長に換算すると、使用波長は５ｃｍ〜０．８ｃｍである。アンテナは、鉄塔、電柱や屋根上などの屋外に固定して設置される。なお、森林、山岳、砂漠地帯や、地下に有線を埋めることができない都心などの地域では、無線中継システムは、有線インフラと比較して短い時間で、かつ、低コストで設置可能である。
【００６９】
このため、気象観測機能を有する無線装置２００を無線中継システムに適用すれば、無線中継システムで使用される通信電波が利用できるので、気象観測による測定データを伝送するのに、新規インフラの設置が不要となる。また、森林、山岳、砂漠地帯などの有線インフラを敷設し難い場所での測定データの伝送を行うことも可能となる。
【００７０】
また、気象観測システムとして知られているアメダス（AMeDAS：Automated Meteorological Data Acquisition System）では、気象観測装置が全国に約１，３００箇所に設置されている。つまり、気象観測装置は、１７ｋｍ四方に１個所の割合で設置されていることになる。
【００７１】
気象観測装置の測定データを集計するコンピュータでは、日本を東西南北に区切った格子点ごとに気象の予測値が求められ、その格子点間隔は５ｋｍである。よって、気象観測装置の設置間隔が格子点間隔よりも広いため、格子点の予測値は、格子点周辺の気象観測装置の測定データと内挿技術とを用いて求められるが、予測値の精度は低くなってしまう。
【００７２】
予測値の精度を高めるためには、気象観測装置を多地点に設置して気象観測点を増やすことが最も有効である。しかしながら、有線インフラ設備を設置するための用地買収や、気象観測装置の増加に伴う測定データを伝送する伝送装置の増設などにより、コストが増大してしまう。
【００７３】
このため、気象観測機能を有する無線装置２００を無線中継システムに適用すれば、数百ｍ〜数十ｋｍの間隔で無線装置２００が設置され、その設置場所で気象観測が行われるので、気象観測点を増やすことが可能となる。
【００７４】
また、無線装置２００を無線中継システムに適用すれば、ＯＤＵ２２０は屋外の見通しの良い場所に設置されるので、無線装置２００は、雨量（降水量）と風向および風速と日照時間とのそれぞれの観測を、支障なく行うことができる。
【００７５】
このため、無線装置２００は、アメダスで観測される気温、降水量（雨量）、風（風向および風速）、日照時間の４要素のうち、雨量と風向および風速と日照時間との３つの要素を観測することが可能となる。
【００７６】
したがって、無線装置２００を無線中継システムに適用すれば、無線システム１００が、アメダスの気象観測点を補完することが可能となり、アメダスは、気象予測精度をさらに向上させることが可能となる。
【００７７】
本実施形態によれば、所定基地局（例えば、基地局１０３）を介して集計装置（特定装置）と通信を行う無線装置２００は、雨量測定用のレーダ電波（所定電波）と、基地局１０３との通信用の通信電波（特定電波）とを発射する共用アンテナ２０１を有する。無線装置２００では、ＩＤＵ２１０が、共用アンテナ２０１から発射されたレーダ電波を受信すると、レーダ電波の強度に基づいて雨量を求め、ＯＤＵ２２０は、ＩＤＵ２１０が雨量を求めると、その雨量を示す雨量情報を、集計装置宛てに通信電波により送信する。
【００７８】
このため、無線装置２００は、基地局１０３との通信に用いられる共用アンテナ２０１から、通信電波を発射しつつ、レーダ電波を発射する。共用アンテナ２０１から通信電波とレーダ電波とを発射するためには、通信電波の使用周波数を、レーダ電波の周波数と同じ帯域内に設定する必要がある。
【００７９】
図５は、レーダ電波を発射して雨量を測定する気象レーダを説明するための図である。
【００８０】
気象レーダは、雨量測定用のレーダ電波を発射するアンテナを備える。気象レーダは、アンテナを一定間隔で駆動させながらレーダ電波を発射する。レーダ電波の波長としては、３ｃｍ〜１０ｃｍの範囲の波長が用いられる。このため、無線装置２００の通信電波およびレーダ電波の使用周波数としては、例えば、７ＧＨｚ（波長４．２ｃｍ）帯、または、８ＧＨｚ（波長３．７５ｃｍ）帯の周波数が用いられる。
【００８１】
また、無線装置２００は、レーダ電波の反射波を受信すると、反射波の強度に基づいて雨量を求め、その雨量を示す雨量情報を集計装置宛てに通信電波により送信する。
【００８２】
このため、無線装置２００は、雨量測定用の専用アンテナが設けられていない状況でも、共用アンテナ２０１からレーダ電波を発射し、その反射波の強度に応じた雨量を、集計装置宛てに送信することが可能となる。
【００８３】
よって、本実施形態によれば、無線装置２００は、雨量を測定する気象観測機能を有するとともに、無線装置２００の小型化を実現することが可能となる。また、無線装置２００が、通信電波により集計装置宛てに雨量を送信するため、無線システム１００では、測定した雨量を伝送する伝送装置を新たに設ける必要が無い。
【００８４】
また、本実施形態では、無線装置２００が、風速を検出する風向風速器２３１をさらに含み、風向風速計２３１が風速を検出すると、ＯＤＵ２２０は、検出された風速を集計装置宛てに、通信電波により送信する。
【００８５】
このため、無線装置２００の小型化を実現しつつ、無線装置２００は、風速を検出して、その検出結果を集計装置宛てに送信することが可能となる。
【００８６】
また、本実施形態では、無線装置２００が、日照時間を計測する日射日照計２３２をさらに含み、日射日照計２３２が日照時間を計測すると、ＯＤＵ２２０は、計測された日照時間を、通信電波により集計装置宛てに送信する。
【００８７】
このため、無線装置２００の小型化を実現しつつ、無線装置２００は、日照時間を計測して、その計測結果を集計装置宛てに送信することが可能となる。
【００８８】
また、本実施形態では、無線装置２００が、雨量を測定する雨量計２３３をさらに含み、雨量計２３３が雨量を測定すると、ＯＤＵ２２０は、測定された雨量を、通信電波により集計装置宛てに送信する。
【００８９】
このため、無線装置２００の小型化を実現しつつ、無線装置２００は、雨量を測定して、その測定結果を集計装置宛てに送信することが可能となる。
【００９０】
以上説明した実施形態において、図示した構成は単なる一例であって、本発明はその構成に限定されるものではない。
【符号の説明】
【００９１】
１００  無線システム
１０１〜１０３  基地局
２００  無線装置
２０１  共用アンテナ
２１０  ＩＤＵ
２２０  ＯＤＵ
２２１  ＡＮＴインターフェース
２２２ａ  ＴＸフィルタ
２２２ｂ  ＲＸフィルタ
２２３  ＡＭＰ
２２４  ＲＦサーキット
２２５  ＩＤＵインターフェース
２２６  気象測器インターフェース
２２７  ＤＣ−ＤＣコンバータ
【図１】
2012117843.tif 000003
【図２】
2012117843.tif 000004
【図３】
2012117843.tif 000005
【図４】
2012117843.tif 000006
【図５】
2012117843.tif 000007